(57)【要約】【課題】図形及び文字によるメッセージの表示方法を提供する。【解決手段】使用者が既存のメッセージ或いは図形に対して改変或いは効果の増強を行うと、同時に現在の双方のアプリケーションインターフェース中に増強されたメッセージの状況効果が表現される方式により、より効率的な図形及び文字の交換を達成させ、より好ましい相互のコミュニケーション効果を達成させる。【選択図】図１
2016126787.tif 000002
【特許請求の範囲】
【請求項１】
第一サーバーと、第一表示器と、第一通信装置とを備える第一メッセージホスト機により実施される図形及び文字によるメッセージの表示方法であって、前記方法は、
前記第一表示器のアプリケーション表示インターフェースにより特定の文字メッセージが表示される工程（Ａ）と、
前記第一サーバーにより使用者が前記特定の文字メッセージ中の文字段落に対して入力した標示命令が受信され、且つ前記標示命令に基づいて前記文字段落の前記第一表示器における第一位置インデックスの計算を行う工程（Ｂ）と、
前記第一サーバーにより前記使用者が前記文字段落に対して選択した特定の図形効果が受信され、前記特定の図形効果が図形効果データベースに事前保存され、且つ特定の図形効果識別コードに対応させる工程（Ｃ）と、
前記第一サーバーにより前記特定の図形効果が前記アプリケーション表示インターフェースの前記文字段落の特定の相対位置に表示される工程（Ｄ）  と、
前記第一通信装置により前記第一位置インデックス及び特定の図形効果識別コードが第二メッセージホスト機に伝送される工程（Ｅ）と、を含むことを特徴とする、
図形及び文字によるメッセージの表示方法。
【請求項２】
前記特定の図形効果は動態図形効果或いは静態図形効果の内の何れか１つを含むことを特徴とする、請求項１に記載の図形及び文字によるメッセージの表示方法。
【請求項３】
工程（Ａ）において、前記特定の文字メッセージは前記第二メッセージホスト機により前記第一メッセージホスト機に伝送され、且つ前記特定の文字メッセージは編集プログラム中のデータ形態により文字形態に指定された符号が対応させる文字であり、前記文字は単一の言語に限定されないことを特徴とする、請求項１に記載の図形及び文字によるメッセージの表示方法。
【請求項４】
工程（Ｅ）において、前記第一通信装置によりアプリケーション識別コード及び使用者識別コードが前記第二メッセージホスト機にさらに伝送され、前記第二メッセージホスト機は第二サーバー及び第二表示器を備え、前記第二表示器により前記アプリケーション表示インターフェースが表示され、前記第二サーバーは前記特定の図形効果識別コードに基づいて事前保存される図形効果データベースから前記特定の図形効果を選択させ、且つ前記第一位置インデックスに基づいて前記特定の図形効果が前記アプリケーション表示インターフェースにおける前記特定の文字段落の前記特定の相対位置に表示されることを特徴とする、請求項１に記載の図形及び文字によるメッセージの表示方法。
【請求項５】
工程（Ｅ）において、前記第一通信装置により第二位置インデックスが前記第二メッセージホスト機にさらに伝送され、前記第二サーバーは前記第一位置インデックス及び前記第二位置インデックスに基づいて前記特定の図形効果を前記第二表示器の前記アプリケーション表示インターフェースに表示させ、前記第二位置インデックスは前記特定の相対位置の標示に用いられることを特徴とする、請求項４に記載の図形及び文字によるメッセージの表示方法。
【請求項６】
前記第一サーバーが前記使用者により入力される非表示命令に基づいて前記特定の図形効果を前記アプリケーション表示インターフェース中で非表示にさせる工程（Ｆ）を更に含むことを特徴とする、請求項１に記載の図形及び文字によるメッセージの表示方法。
【請求項７】
前記第一メッセージホスト機及び前記第二メッセージホスト機はスマート型携帯端末、パソコン或いは他の装置であることを特徴とする、請求項１に記載の図形及び文字によるメッセージの表示方法。
【請求項８】
第一サーバー及び第一通信装置を備える第一メッセージホスト機により実施される図形及び文字によるメッセージの表示方法であって、前記方法は、
前記第一サーバーにより第一図形効果がアプリケーション表示インターフェースに表示される工程（Ａ）と、
前記第一サーバーにより使用者が前記第一図形効果に対して入力させた選択命令が受信され、且つ前記選択命令に基づいて前記第一図形効果の前記アプリケーション表示インターフェースにおける第一位置インデックスの計算を行う工程（Ｂ）と、
前記第一サーバーにより事前保存されたデータベースから前記使用者により選択された第二図形効果が受信され、前記第二図形効果は第二図形効果識別コードに対応させる工程（Ｃ）と、
前記第一サーバーにより前記アプリケーション表示インターフェースの前記第一図形効果が前記第二図形効果に代替される工程（Ｄ）と、
前記第一通信装置により前記第一位置インデックス及び前記第二図形効果識別コードが第二メッセージホスト機に伝送される工程（Ｅ）と、を含むことを特徴とする、
図形及び文字によるメッセージの表示方法。
【請求項９】
工程（Ｅ）において、前記第一通信装置によりアプリケーション識別コード及び使用者識別コードが前記第二メッセージホスト機にさらに伝送され、前記第二メッセージホスト機は第二サーバーを備え、前記工程（Ａ）において、前記第一図形効果は他の使用者により入力されると共に前記第二通信装置により前記第一表示器に伝送され、且つ前記第一図形効果は静態或いは動態の画像、影像、アニメーション効果、或いは視覚的に識別されるあらゆる効果であることを特徴とする、請求項８に記載の図形及び文字によるメッセージの表示方法。
【請求項１０】
前記第二サーバーにより前記第二図形効果識別コードに基づいて事前保存された図形効果データベースから前記第二図形効果が選択され、且つ前記第一位置インデックスに基づいて前記第二図形効果により前記第一図形効果が代替される工程（Ｆ）を更に含むことを特徴とする、請求項９に記載の図形及び文字によるメッセージの表示方法。
【請求項１１】
前記第二図形効果は前記第一図形効果に関連する図形効果であることを特徴とする、請求項１０に記載の図形及び文字によるメッセージの表示方法。
【請求項１２】
前記第二図形効果は前記第一図形効果を初期状態とする動態効果であることを特徴とする、請求項１１に記載の図形及び文字によるメッセージの表示方法。
【請求項１３】
第一メッセージホスト機、第二メッセージホスト機及びマッピング判定ルールにより実施され、前記第一メッセージホスト機は第一サーバーと、第一表示器と、第一メモリと、第一通信装置とを備え、且つ前記第二メッセージホスト機は第二サーバーと、第二表示器と、第二メモリと、第二通信装置とを備える図形及び文字によるメッセージの表示方法であって、前記方法は、
前記第一メッセージホスト機により特定のメッセージが受信されると共に第一表示器のアプリケーション表示インターフェースに表示される工程（Ａ）と、
前記第一サーバーにより使用者が入力させたメッセージが受信され、且つ前記メッセージは文字段落或いは図形である工程（Ｂ）と、
前記マッピング判定ルールにより前記入力メッセージが図形であるかどうか判断される工程（Ｃ）と、
入力メッセージが図形ではない場合、第一メッセージホスト機が前記第一通信装置により前記メッセージを第二メッセージホスト機に伝送させると共に第一表示器及び第二表示器のアプリケーション表示インターフェースに表示させる工程（Ｄ）と、
入力メッセージが図形（Ｐ２）である場合、アプリケーションが第一メモリに保存されている図形かどうか検索を行う工程（Ｅ）と、
第一メモリに如何なる図形も保存されていない場合、前記入力された図形（Ｐ２）が第一メモリに保存される工程（Ｆ）と、
前記第一メッセージホスト機により前記図形（Ｐ２）が第二メッセージホスト機に伝送されると共に第一表示器及び第二表示器のアプリケーション表示インターフェースに表示され、且つ前記第二メッセージホスト機により受信された図形（Ｐ２）が第二メモリに保存される工程（Ｇ）と、
第一メモリに保存された図形（Ｐ１）である場合、マッピング判定ルールにより入力された図形（Ｐ２）及びメモリの図形（Ｐ１）が結合されて他の新しい図形（Ｐ３）が形成される工程（Ｈ）と、
前記入力された図形（Ｐ２）が第一メッセージホスト機及び第二メッセージホスト機のアプリケーション表示インターフェースに表示され、同時に前記新しい図形（Ｐ３）がアプリケーション表示インターフェースの前景画面に表示される工程（Ｉ）と、
前記入力された図形（Ｐ２）が第一メモリ及び第二メモリに保存されると共に本来メモリ内に保存されている図形（Ｐ１）が代替されて新しい保存図形（Ｐ１）となる工程（Ｊ）と、を含むことを特徴とする、
図形及び文字によるメッセージの表示方法。
【請求項１４】
工程（Ａ）において、特定のメッセージは第二メッセージホスト機の使用者が伝送させる特定のメッセージであるか、或いは第一メッセージホスト機の使用者が自分で送信させる特定のメッセージであることを特徴とする、請求項１３に記載の図形及び文字によるメッセージの表示方法。
【請求項１５】
工程（Ｉ）において、新しい図形（Ｐ３）が前景画面に表示されている間は、如何なる使用者もメッセージを入力できず、一定時間が経過して新しい図形（Ｐ３）が自動的に消失した後、或いは使用者によりスクリーンのタッチやマウスのクリック等の命令が入力された後、表示画面が使用者がメッセージを入力するための画面に戻ることを特徴とする、請求項１３に記載の図形及び文字によるメッセージの表示方法。
【請求項１６】
何れかの使用者により入力された図形（Ｐ２）が通信を行う双方のメモリ内に保存されて本来保存されている図形（Ｐ１）を代替させ、新しい保存図形（Ｐ１）が形成されることを特徴とする、請求項１３に記載の図形及び文字によるメッセージの表示方法。
【請求項１７】
前記図形は静態図形、動態図形、音声付き動画、音声無し動画或いはバーチャルリアリティー（Ｖｉｒｔｕａｌ  ｒｅａｌｉｔｙ）であることを特徴とする、請求項１３乃至１６に記載の図形及び文字によるメッセージの表示方法。
【発明の詳細な説明】
【技術分野】
【０００１】
本発明は、インターネットを通して伝送を行い、デジタル図形及び文字を表示させてコミュニケーションを図るメッセージ処理方法に関する。
【背景技術】
【０００２】
近年モバイルデータ通信や携帯端末の発展により、文字及び図形の伝送もチャットアプリケーションにとって必要不可欠になっている。
【０００３】
従来のチャットアプリケーション及びインターネットの文字段落中に、使用者は文字メッセージ以外にも、図形、ファイル、音声ファイル等も入力できるようになっており、従来の電話による音声アナログ通信に比べ、デジタルデータによるメッセージチャットアプリケーションはより多くのコミュニケーションメディアを具備できる可能性がある。
【発明の概要】
【発明が解決しようとする課題】
【０００４】
しかしながら、前述した従来の技術、すなわち、既存のチャットアプリケーションは使用者のメッセージが一方的に伝送される形態であり、甲が文字或いは図形メッセージを入力させた後に、乙が受信したメッセージに基づいて乙が自分の文字メッセージ或いは図形メッセージを入力させる。但し、リアルタイムに双方向に同時に対話或いは『改変』ができるコミュニケーション形態が欠落している。
【０００５】
そこで、本発明者は上記の欠点が改善可能と考え、より好ましいコミュニケーション効果を達成させ、図形及び文字メッセージの交換効率を高めるため、鋭意検討を重ねた結果、合理的設計で上記の課題を効果的に改善する本発明の提案に到った。
【０００６】
本発明は、このような従来の問題に鑑みてなされたものである。上記課題解決のため、本発明は、図形及び文字によるメッセージの表示方法を提供することを主目的とする。
【０００７】
本発明の他の目的は、従来の図形及び文字メッセージの交換効率を高め、より好ましいコミュニケーション方式を提供する。
【課題を解決するための手段】
【０００８】
上述した課題を解決し、目的を達成するための本発明に係る図形及び文字によるメッセージの表示方法は、第一サーバーと、第一表示器と、第一通信装置とを備える第一メッセージホスト機により実施される。前記方法は、前記第一表示器のアプリケーション表示インターフェースにより特定の文字メッセージが表示される工程（Ａ）と、前記第一サーバーにより使用者が前記特定の文字メッセージ中の文字段落に対して入力した標示命令が受信され、且つ前記標示命令に基づいて前記文字段落の前記第一表示器における第一位置インデックスの計算を行う工程（Ｂ）と、前記第一サーバーにより前記使用者が前記文字段落に対して選択した特定の図形効果が受信され、前記特定の図形効果が図形効果データベースに事前保存され、且つ特定の図形効果識別コードに対応させる工程（Ｃ）と、前記第一サーバーにより前記特定の図形効果が前記アプリケーション表示インターフェースの前記文字段落の特定の相対位置に表示される工程（Ｄ）と、前記第一通信装置により前記第一位置インデックス及び特定の図形効果識別コードが第二メッセージホスト機に伝送される工程（Ｅ）とを含むことを特徴とする。
【０００９】
好ましくは、前記特定の図形効果は動態図形効果或いは静態図形効果の内の何れか１つを含む。
【００１０】
好ましくは、工程（Ａ）において、前記特定の文字メッセージは前記第二メッセージホスト機により前記第一メッセージホスト機に伝送され、且つ前記特定の文字メッセージは編集プログラム中のデータ形態により文字形態に指定された符号が対応させる文字であり、前記文字は単一の言語に限定されない。
【００１１】
好ましくは、工程（Ｅ）において、前記第一通信装置によりアプリケーション識別コード及び使用者識別コードが前記第二メッセージホスト機にさらに伝送され、前記第二メッセージホスト機は第二サーバー及び第二表示器を備え、前記第二表示器により前記アプリケーション表示インターフェースが表示され、前記第二サーバーは前記特定の図形効果識別コードに基づいて事前保存される図形効果データベースから前記特定の図形効果を選択させ、且つ前記第一位置インデックスに基づいて前記特定の図形効果が前記アプリケーション表示インターフェースにおける前記特定の文字段落の前記特定の相対位置に表示される。
【００１２】
好ましくは、工程（Ｅ）において、前記第一通信装置により第二位置インデックスが前記第二メッセージホスト機にさらに伝送され、前記第二サーバーは前記第一位置インデックス及び前記第二位置インデックスに基づいて前記特定の図形効果を前記第二表示器の前記アプリケーション表示インターフェースに表示させ、前記第二位置インデックスは前記特定の相対位置の標示に用いられる。
【００１３】
好ましくは、前述の図形及び文字によるメッセージの表示方法は、前記第一サーバーが前記使用者により入力される非表示命令に基づいて前記特定の図形効果を前記アプリケーション表示インターフェース中で非表示にさせる工程（Ｆ）を更に含む。
【００１４】
好ましくは、前記第一メッセージホスト機及び前記第二メッセージホスト機はスマート型携帯端末、パソコン或いは他の装置である。
【００１５】
また、上述した課題を解決するための本発明の他の図形及び文字によるメッセージの表示方法は、第一サーバー及び第一通信装置を備える第一メッセージホスト機により実施される。前記方法は、前記第一サーバーにより第一図形効果がアプリケーション表示インターフェースに表示される工程（Ａ）と、前記第一サーバーにより使用者が前記第一図形効果に対して入力させた選択命令が受信され、且つ前記選択命令に基づいて前記第一図形効果の前記アプリケーション表示インターフェースにおける第一位置インデックスの計算を行う工程（Ｂ）と、前記第一サーバーにより事前保存されたデータベースから前記使用者により選択された第二図形効果が受信され、前記第二図形効果は第二図形効果識別コードに対応させる工程（Ｃ）と、前記第一サーバーにより前記アプリケーション表示インターフェースの前記第一図形効果が前記第二図形効果に代替される工程（Ｄ）と、前記第一通信装置により前記第一位置インデックス及び前記第二図形効果識別コードが第二メッセージホスト機に伝送される工程（Ｅ）とを含むことを特徴とする。
【００１６】
好ましくは、工程（Ｅ）において、前記第一通信装置によりアプリケーション識別コード及び使用者識別コードが前記第二メッセージホスト機にさらに伝送され、前記第二メッセージホスト機は第二サーバーを備える。前記工程（Ａ）において、前記第一図形効果は他の使用者により入力されると共に前記第二通信装置により前記第一表示器に伝送される。また、前記第一図形効果は静態或いは動態の図形、影像、アニメーション効果、或いは視覚的に識別されるあらゆる効果である。
【００１７】
好ましくは、前述の図形及び文字によるメッセージの表示方法は、前記第二サーバーにより前記第二図形効果識別コードに基づいて事前保存された図形効果データベースから前記第二図形効果が選択され、且つ前記第一位置インデックスに基づいて前記第二図形効果により前記第一図形効果が代替される工程（Ｆ）を更に含む。
【００１８】
好ましくは、前記第二図形効果は前記第一図形効果に関連する図形効果である。
【００１９】
好ましくは、前記第二図形効果は前記第一図形効果を初期状態とする動態効果である。
【００２０】
さらに、上述した目的を達成するための本発明のさらなる他の図形及び文字によるメッセージの表示方法は、第一メッセージホスト機、第二メッセージホスト機及びマッピング判定ルールにより実施され、前記第一メッセージホスト機は第一サーバーと、第一表示器と、第一メモリと、第一通信装置とを備え、且つ前記第二メッセージホスト機は第二サーバーと、第二表示器と、第二メモリと、第二通信装置とを備える。前記方法は、前記第一メッセージホスト機により特定のメッセージが受信されると共に第一表示器のアプリケーション表示インターフェースに表示される工程（Ａ）と、前記第一サーバーにより使用者が入力させたメッセージが受信され、且つ前記メッセージは文字段落或いは図形である工程（Ｂ）と、前記マッピング判定ルールにより前記入力メッセージが図形であるかどうか判断される工程（Ｃ）と、入力メッセージが図形ではない場合、第一メッセージホスト機が前記第一通信装置により前記メッセージを第二メッセージホスト機に伝送させると共に第一表示器及び第二表示器のアプリケーション表示インターフェースに表示させる工程（Ｄ）と、入力メッセージが図形（Ｐ２）である場合、アプリケーションが第一メモリに保存されている図形かどうか検索を行う工程（Ｅ）と、第一メモリに如何なる図形も保存されていない場合、前記入力された図形（Ｐ２）が第一メモリに保存される工程（Ｆ）と、前記第一メッセージホスト機により前記図形（Ｐ２）が第二メッセージホスト機に伝送されると共に第一表示器及び第二表示器のアプリケーション表示インターフェースに表示され、且つ前記第二メッセージホスト機により受信された図形（Ｐ２）が第二メモリに保存される工程（Ｇ）と、第一メモリに保存された図形（Ｐ１）である場合、マッピング判定ルールにより入力された図形（Ｐ２）及びメモリの図形（Ｐ１）が結合されて他の新しい図形（Ｐ３）が形成される工程（Ｈ）と、前記入力された図形（Ｐ２）が第一メッセージホスト機及び第二メッセージホスト機のアプリケーション表示インターフェースに表示され、同時に前記新しい図形（Ｐ３）がアプリケーション表示インターフェースの前景画面に表示される工程（Ｉ）と、前記入力された図形（Ｐ２）が第一メモリ及び第二メモリに保存されると共に本来メモリ内に保存されている図形（Ｐ１）が代替されて新しい保存図形（Ｐ１）となる工程（Ｊ）とを含むことを特徴とする。
【００２１】
好ましくは、工程（Ａ）において、特定のメッセージは第二メッセージホスト機の使用者が伝送させる特定のメッセージであるか、或いは第一メッセージホスト機の使用者が自分で送信させる特定のメッセージである。
【００２２】
好ましくは、工程（Ｉ）において、新しい図形（Ｐ３）が前景画面に表示されている間は、如何なる使用者もメッセージを入力できず、一定時間が経過して新しい図形（Ｐ３）が自動的に消失した後、或いは使用者によりスクリーンのタッチやマウスのクリック等の命令が入力された後、表示画面が使用者がメッセージを入力するための画面に戻る。
【００２３】
好ましくは、何れかの使用者により入力された図形（Ｐ２）が通信を行う双方のメモリ内に保存されて本来保存されている図形（Ｐ１）を代替させ、新しい保存図形（Ｐ１）が形成される。
【００２４】
好ましくは、前記図形は静態図形、動態図形、音声付き動画、音声無し動画或いはバーチャルリアリティー（Ｖｉｒｔｕａｌ  ｒｅａｌｉｔｙ）である。
【発明の効果】
【００２５】
本発明によれば、使用者は特定の文字或いは図形に対して図や改変を加えることで、より効率的な図形及び文字コミュニケーション手段を提供し、且つ増強されたメッセージの状況効果が表現される方式により、対話過程での面白味が増し、使用者のアプリケーションの使用頻度が高まり、ユーザーエクスペリエンスが大幅に高まり、産業の利用性及び進歩性に確実に符合する。
【図面の簡単な説明】
【００２６】
【図１】本発明の第１実施形態による図形及び文字によるメッセージの表示方法を示すフローチャートである。
【図２】本発明の第１実施形態による図形及び文字によるメッセージの表示方法を示すフローチャートである。
【図３】本発明の第１実施形態による図形及び文字によるメッセージの表示方法を示すフローチャートである。
【発明を実施するための形態】
【００２７】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例】
【００２８】
（第１実施形態）
図１は本発明の第１実施形態による図形及び文字によるメッセージの表示方法を示すフローチャートである。図１において、第二メッセージホスト機により先ず使用者Ｂが入力した『社長にこんなこと言われた、ムカつく』等の文字メッセージが受信され、前記文字メッセージがアプリケーション表示インターフェースに表示される。その後、前記文字メッセージが第一メッセージホスト機に伝送される（工程１０１）。第二メッセージホスト機により前記アプリケーションの  ＩＤ（識別データｉｄｅｎｔｉｆｉｃａｔｉｏｎ）、前記使用者ＢのＩＤ、及び前記文字メッセージが第一メッセージホスト機に伝送される。
【００２９】
前記第一メッセージホスト機により前記文字メッセージが受信された後、前記アプリケーションのＩＤに基づいて前記文字メッセージが前記アプリケーション表示インターフェースに表示され（工程１０２）、且つ前記使用者のＩＤに基づいて前記文字メッセージと使用者Ｂとの関連が表示される。その後、第一メッセージホスト機により使用者Ａが前記文字メッセージ中の特定の文字段落に対して入力した『ムカつく』等の標示命令が受信される（工程１０３）。
前記標示命令はマウス或いはカーソルにより選択されるか、或いはタッチ選択方式により前記特定の文字段落或いは文字が標示される。その後、第一メッセージホスト機が前記標示命令に基づいて前記特定の文字段落の前記アプリケーション表示インターフェース或いは前記文字メッセージにおける第一位置インデックスの計算を行う（工程１０４）。
第一位置インデックスは前記特定の文字段落の位置データの表示に用いられ、第一メッセージホスト機により使用者Ａが前記特定の文字段落に対して前記アプリケーションに関連する図形データベースから選択した火炎等の特定の図形効果が受信される（工程１０５）。前記特定の図形効果はＩＤ識別コードを有する。
【００３０】
その後、第一メッセージホスト機により前記特定の図形効果が前記アプリケーション表示インターフェースの前記特定の文字段落の特定の相対位置に表示され（工程１０６）、例えば、火炎図形が『ムカつく』という単語を覆うようになる。その後、第一メッセージホスト機により第一位置インデックス、前記文字メッセージＩＤ、前記特定の図形効果ＩＤ、及び／或いは使用者ＡのＩＤが第二メッセージホスト機に伝送される（工程１０７）。
前記第二メッセージホスト機は特定の図形効果ＩＤに基づいて事前保存される図形データベースから前記特定の図形効果を選択させ（工程１０８）、且つ第一位置インデックス及び前記文字メッセージＩＤに基づいて前記特定の図形効果が前記アプリケーション表示インターフェースの前記文字メッセージの前記特定の文字段落の前記特定の相対位置に表示され（工程１０９）、例えば、前記第二メッセージホスト機上に表示される文字メッセージ『社長にこんなこと言われた、ムカつく』の『ムカつく』という単語に第一メッセージホスト機の火炎図形が表示される。
【００３１】
前記図形効果は動態図形効果或いは静態図形効果であり、使用者が命令を入力することでアプリケーション表示インターフェース中で表示／非表示が選択されて、前記図形効果が表示される。
【００３２】
特定の文字段落或いは文字に対する標示及び図形効果が表示されることで、使用者の語意及び状況がよりダイナミックに表現され、より好ましいコミュニケーション効果を達成させる。
【００３３】
（第２実施形態）
図２は本発明の第２実施形態による図形及び文字によるメッセージの表示方法を示すフローチャートである。図２において、第二メッセージホスト機により先ず使用者Ｂが事前保存されたデータベースから選択させた『火炎図形効果』等の第一図形効果が受信され、前記第一図形効果がアプリケーション表示インターフェースに表示される。その後、第一図形効果が第一メッセージホスト機に伝送される（工程２０１）。
第二メッセージホスト機により前記アプリケーションのＩＤ（識別データｉｄｅｎｔｉｆｉｃａｔｉｏｎ）、前記使用者ＢのＩＤ、及び前記第一図形効果の識別コード（ＩＤ）が第一メッセージホスト機に伝送される。
【００３４】
前記第一メッセージホスト機により第一図形効果が受信された後、前記アプリケーション  ＩＤに基づいて第一図形効果が前記アプリケーション表示インターフェースに表示され（工程２０２）、且つ前記使用者のＩＤに基づいて第一図形効果と使用者Ｂとの関連が表示される。その後、第一メッセージホスト機により使用者Ａが第一図形効果に対して入力した標示命令が受信される（工程２０３）。前記標示命令はマウス或いはカーソルによる選択、或いはタッチ選択方式による前記第一図形効果の標示に用いられる。その後、第一メッセージホスト機が前記標示命令に基づいて前記第一図形効果の前記アプリケーション表示インターフェース或いは前記文字メッセージにおける第一位置インデックスの計算を行う（工程２０４）。
第一位置インデックスは前記第一図形効果の位置データの表示に用いられ、第一メッセージホスト機により使用者Ａが前記第一図形効果に対して前記アプリケーションに関連する図形データベースから選択した『雨が火炎を消す図形効果』等の第二図形効果が受信される（工程２０５）。前記第二図形効果はＩＤ識別コードを有する。
【００３５】
その後、第一メッセージホスト機により前記第二図形効果が本来表示される第一図形効果を代替させ（工程２０６）、例えば『雨が火炎を消す図形効果』が本来の『火炎図形効果』を代替させる。続いて、第一メッセージホスト機により第一位置インデックス、第一図形効果ＩＤ、第二図形効果ＩＤ、及び／或いは使用者ＡのＩＤが第二メッセージホスト機に伝送される（工程２０７）。
前記第二メッセージホスト機により第二図形効果ＩＤに基づいて事前保存された図形データベースから第二図形効果ＩＤが選択され（工程２０８）、且つ第一位置インデックス及び第一図形効果ＩＤに基づいて前記第二図形効果によって第二メッセージホスト機のアプリケーション表示インターフェースの第一図形効果が代替される（工程２０９）。
【００３６】
前記図形効果は動態図形効果或いは静態図形効果であり、使用者が命令を入力することでアプリケーション表示インターフェース中で表示／非表示の選択が行われて前記図形効果が表示される。
【００３７】
好ましくは、第二図形効果は第一図形効果に関連する図形効果として設計され、例えば、前記第二図形効果は１動態図形効果であり、且つ第一図形効果を初期値として変化を開始する。
【００３８】
好ましくは、前記文字メッセージ及び図形効果は第一メッセージホスト機及び第二メッセージメッセージに同時に表示されるのみではなく、多方向のメッセージに適用される。即ち、第一メッセージホスト機により入力或いは改変された図形効果が、メッセージ通話に参加する複数のメッセージホスト機に同時に表示される。
【００３９】
（第３実施形態）
図３は本発明の第３実施形態による図形及び文字によるメッセージの表示方法を示すフローチャートである。
図３において、第一メッセージホスト機により先ず特定のメッセージが受信されると共に第一表示器のアプリケーション表示インターフェースに表示される（工程３０１）。使用者によりメッセージが入力されると（工程３０２）、マッピング判定ルールにより入力されたメッセージが図形であるかどうかが判定される（工程３０３）。前記入力メッセージが図形ではない場合、第一メッセージホスト機により前記メッセージが第二メッセージホスト機に伝送され、且つ前記メッセージが第一表示器及び第一表示器のアプリケーション表示インターフェースに同時に表示される（工程３０７）。
入力されたメッセージが図形メッセージ（Ｐ２）である場合、例えば、チョキ、グー、パーの内のチョキの図形がアプリケーション表示インターフェースに入力されると、アプリケーションにより第一メモリに保存されている図形であるかどうかが検索される（工程３０４）。第一メモリに如何なる図形も保存されていない場合、チョキの図形が第一メモリに保存されると共にチョキの図形が第二メッセージホスト機に伝送され、第一表示器及び第二表示器のアプリケーション表示インターフェースに表示され、前記第二メッセージホスト機により受信されたチョキの図形が第二メモリに保存される（工程３０８）。この際、前記アプリケーションを使用する双方のメッセージホスト機に共に同じチョキの図形が表示され、且つ前記チョキの図形が双方のメモリに保存される。
【００４０】
前記アプリケーションを使用する何れか一方が、例えば、チョキ、グー、パーの内のチョキの図形等の他の図形を更に入力すると、マッピング判定ルールによりチョキ及びパーの２つの図形が結合されてチョキがパーを切る図形が形成される（工程３０５）。
前記チョキの図形が第一メッセージホスト機及び第二メッセージホスト機のアプリケーション表示インターフェースに表示され、チョキがパーを切る図形が前記アプリケーション表示インターフェースの前景画面に表示される。この際、一定時間経過すると、チョキがパーを切る図形が自動的に消失し、或いはスクリーンにタッチする、マウスでクリックする等の命令により、前景画面のチョキがパーを切る図形が消失する。チョキがパーを切る図形が前景画面に表示される間は、使用者は如何なるメッセージも伝送できず、チョキがパーを切る図形が消失すると、本来の通信インターフェースに戻り、メッセージの伝送を継続できる。また、チョキの図形によりパーの図形が代替され、第一メモリ及び第二メモリに保存される（工程３０６）。
【００４１】
上述の工程３０１乃至工程３０８は、使用者により入力されたメッセージの形態に基づいて重複して実行される。新しい図形（Ｐ２）が入力される度に、本来メモリに保存されている図形（Ｐ１）が代替され、メモリに保存される新たな図形（Ｐ１）が形成され、マッピング判定ルールはメモリに保存される最新の図形（Ｐ１）を入力された図形（Ｐ２）と結合させる。
【００４２】
上述のメッセージホスト機はサーバー、表示器、及び通信装置を有する携帯端末及びパソコン等を含むシステムである。
【００４３】
本明細書に開示された実施形態は、本発明を限定するものではなく、説明するためのものであり、このような実施形態によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【図１】
2016126787.tif 000003
【図２】
2016126787.tif 000004
【図３】
2016126787.tif 000005
【外国語明細書】
2016126787000001.pdf